(57)【要約】 【課題】  開閉動作を行うことなくドア部材と床面との間を塞ぐようにした上吊引き戸の防水機構を提供する。【解決手段】  防水機構１７は、装置本体１９ａに対して上下方向に移動する軸部材１９ｂを備えた施錠装置１９と、ドア部材５、６の下方に向けて移動するロッド部材２０と、開口部４に設けた押付部２１とから成る作動部２２と、開口部４に沿って配置されるシール部材２３とから構成され、開口部４を閉鎖した状態のドア部材５、６の下方を作動部２２によって突き合わせ方向に移動させると共に、シール部材２３を押付けるように移動させる。【選択図】  図７
2020076286.tif 000002
【特許請求の範囲】
【請求項１】
建物の出入口に設置した枠体に形成される開口部をドア部材により開口、閉鎖する上吊引き戸に備えられ、開口部から建物内へ水が浸入するのを防止するように構成された上吊引き戸の防水機構において、防水機構は、装置本体に対して上下方向に移動する軸部材を備えた施錠装置と、ドア部材の下方に向けて移動するロッド部材と、開口部に設けた押付部とから成る作動部と、開口部に沿って配置されるシール部材とから構成され、開口部を閉鎖した状態のドア部材の下方を作動部によって突き合わせ方向に移動させると共に、シール部材を押付けるように移動させることを特徴とする上吊引き戸の防水機構。
【請求項２】
前記施錠装置は、着脱可能なハンドルを用いて軸部材を装置本体に対して上下方向に移動させることを特徴とする請求項１記載の上吊引き戸の防水機構。
【請求項３】
前記押付部には傾斜部と案内部材が備えられ、傾斜部に係合したロッド部材を介してドア部材の下方を突き合わせ方向に移動させると共に、案内部材に係合したロッド部材を介してドア部材の下方をシール部材を押付けるように移動させることを特徴とする請求項１または２記載の上吊引き戸の防水機構。
【請求項４】
前記傾斜部の位置を調整可能としたことを特徴とする請求項３記載の上吊引き戸の防水機構。
【発明の詳細な説明】
【技術分野】
【０００１】
本発明は、建物の出入口に設置した枠体に形成される開口部をドア部材により開口、閉鎖する上吊引き戸に関する。
【背景技術】
【０００２】
従来、上記の上吊引き戸として例示する自動ドア装置では、集中豪雨等によって生じた水がドア部材と床面との隙間から建物内へ水が浸入するおそれがある。そこで、特許文献１に記載のように、一方のドアの収納部には外部へ引き出し可能な金属製のバリケードが収容され、他方のドアには前記バリケードを引き出す電磁石装置が設けられ、左右のドアの開閉動作によって電磁石装置に吸着されたバリケードを開口部の床面に設置させると共に、左右のドアの収納部内に収納された状態とすることで、開口部にある左右のドアの下端部と床面との間が前記バリケードによって塞がれるようにしたものが知られている。
【先行技術文献】
【特許文献】
【０００３】
【特許文献１】特開２０１７―１６０７３５号公報
【発明の概要】
【発明が解決しようとする課題】
【０００４】
ところが、上記のものでは左右のドアの開閉動作を速やかに行わないと、大量の水が開口部から建物内へ浸入してしまう問題があった。また、集中豪雨等によってドアの中間位置付近まで水位が急上昇した場合に、水圧によって左右のドアの開閉動作が行えない場合があった。
そこで本発明の課題は、上記問題点に鑑み、開閉動作を行うことなくドア部材と床面との間を塞ぐようにした上吊引き戸の防水機構を提供することを目的とする。
【課題を解決するための手段】
【０００５】
本発明は、建物の出入口に設置した枠体に形成される開口部をドア部材により開口、閉鎖する上吊引き戸に備えられ、開口部から建物内へ水が浸入するのを防止するように構成された上吊引き戸の防水機構において、防水機構は、装置本体に対して上下方向に移動する軸部材を備えた施錠装置と、ドア部材の下方に向けて移動するロッド部材と、開口部に設けた押付部とから成る作動部と、開口部に沿って配置されるシール部材とから構成され、開口部を閉鎖した状態のドア部材の下方を作動部によって突き合わせ方向に移動させると共に、シール部材を押付けるように移動させることを特徴とする。具体的には、前記施錠装置は、着脱可能なハンドルを用いて軸部材を装置本体に対して上下方向に移動させることを特徴とする。また、前記押付部には傾斜部と案内部材が備えられ、傾斜部に係合したロッド部材を介してドア部材の下方を突き合わせ方向に移動させると共に、案内部材に係合したロッド部材を介してドア部材の下方をシール部材を押付けるように移動させることを特徴とする。更に、前記傾斜部の位置を調整可能としたことを特徴とする。
【発明の効果】
【０００６】
本発明では、防水機構は、装置本体に対して上下方向に移動する軸部材を備えた施錠装置と、ドア部材の下方に向けて移動するロッド部材と、開口部に設けた押付部とから成る作動部と、開口部に沿って配置されるシール部材とから構成され、開口部を閉鎖した状態のドア部材の下方を作動部によって突き合わせ方向に移動させると共に、シール部材を押付けるように移動させることで、開口部の前の水位が上昇しても速やかにドア部材と床面との間を塞ぐことが可能である。また、前記施錠装置は、着脱可能なハンドルを用いて軸部材を装置本体に対して上下方向に移動させることで、いたずら等により間違ってハンドルが回動されることがない。更に、前記押付部には傾斜部と案内部材が備えられ、傾斜部に係合したロッド部材を介してドア部材の下方を突き合わせ方向に移動させると共に、案内部材に係合したロッド部材を介してドア部材の下方をシール部材を押付けるように移動させることで、簡単な構成でドア部材の下方を移動させることが可能である。更に、前記傾斜部の位置を調整可能としたことで、突き合わせ方向への押付力の調整が容易に行える。
【図面の簡単な説明】
【０００７】
【図１】本発明の防水機構を備えた自動ドア装置であって、開口部を閉鎖した状態を示す図である。
【図２】開口部を開口した状態を示す図である。
【図３】図１のＩＩＩ−ＩＩＩ線拡大断面図である。
【図４】図３のＡ部拡大図である。
【図５】図４のＶ−Ｖ線拡大断面図である。
【図６】ハンドルを用いて防水機構を作動させた状態を示す図である。
【図７】図６のＶＩＩ−ＶＩＩ線部分拡大断面図である。
【図８】図７のＶＩＩＩ−ＶＩＩＩ線拡大断面図である。
【図９】図５のＩＸ−ＩＸ線断面図であって、押付部を示す図である。
【図１０】他の実施形態を示す図である。
【発明を実施するための形態】
【０００８】
図１、２は、建物の出入口２に設置した枠体３に形成される開口部４をドア部材５、６により開口、閉鎖する上吊引き戸として例示する自動ドア装置１である。前記枠体３は複数の枠７〜１２を組み合わせたものであり、中央に開口部４が形成されている。左右のドア部材５、６は各ドア部材５、６の上部に設けた複数の吊車１３を介して枠体３の上枠７のレール部材１４に吊下げられている。ドア部材５、６と床面Ｆ（下枠８）との間には隙間がある。各ドア部材５、６の下端には下枠８内に突出するようにＬ字状の当接片１５が取り付けられている。枠体３の上枠７には左右のドア部材５、６を移動させる駆動装置１６が設置されている。駆動装置１６は図示しないセンサの信号に基づき駆動する。この自動ドア装置１には防水機構１７が備えられ、集中豪雨等によって生じた水がドア部材と床面Ｆとの間から建物内へ浸入するのを防止するようになっている。
【０００９】
前記の防水機構１７について説明する。防水機構１７は、例えば特開２０１５−１０３６４号公報に記載のハンドル１８の回動により装置本体１９ａに対して上下方向に移動する軸部材１９ｂを備えた施錠装置１９と、ドア部材５、６の上下方向に移動可能なロッド部材２０と、枠体３の下枠８に設けた押付部２１とから成る作動部２２と、枠体３に形成される開口部４に沿って配置されるシール部材２３とから構成される。本実施形態では、シール部材２３は枠体３に配置されている。各ドア部材５、６の戸先側と突き合わせ側に施錠装置１９が夫々設置され、施錠装置１９の軸部材１９ｂにロッド部材２０が連結されている。ロッド部材２０の先端には複数の傾斜面２４ａ、２４ｂを備えた係合部材２４が取り付けられている。ドア部材５、６の下端には前記係合部材２４が通過する通過孔２５が設けられている。そして、ロッド部材２０は、施錠装置１９の軸部材１９ｂの移動によりドア部材５、６の下端にある係合部材２４の先端が下枠８内に移動する長さにしてある。また、前記施錠装置１９は、着脱可能なハンドル１８を用いて軸部材１９ｂを装置本体１９ａに対して上下方向に移動させるようにしたことで、ハンドル１８は防水機構１７を作動させるとき以外は、常時建物内の所定の場所で保管される。
【００１０】
前記押付部２１は、図４、５に示すように、箱状の本体２６に、板部材２７に取り付けたブラケット２８が嵌め込まれたものである。押付部２１は下枠８に図示しないネジ部材によって固定されている。ブラケット２８には傾斜面２９ａを備えた傾斜部２９と円筒状の案内部材３０が備えられている。ブラケット２８の下部には長手方向に延びる案内溝３１が形成され、その案内溝３１に傾斜部２９が嵌め込まれている。傾斜部２９の下部にはブラケット２８を挟み込むように固定部材３２がネジ部材３３を介して取り付けられている。傾斜部２９はネジ部材３３を緩めること案内溝３１に沿って移動させることができる。また、板部材２７には前記のロッド部材２０の係合部材２４が通過するように孔３４が設けられている。押付部２１はドア部材５、６に設置した施錠装置１９に対応するように下枠８に複数設けられている。尚、ドア部材５、６の戸先側を突き合わせ方向に移動させる必要がないために押付部２１の傾斜部２９はブラケット２８から取り外されている。
【００１１】
上記のように構成された作動部２２では、ハンドル１８の回動により装置本体１９ａに対して上下方向に移動する軸部材１９ｂを備えた施錠装置１９によってロッド部材２０の先端をドア部材５、６の下方に向けて移動させ、ロッド部材２０の係合部材２４を下枠８に設けた押付部２１に挿入させる。ロッド部材２０は押付部２１の傾斜部２９と案内部材３０によって２方向に傾けられる。そのロッド部材２０を介してドア部材５、６の下方を２方向に移動させるようになっている。具体的には、図７、８のように、傾斜部２９の傾斜面２９ａと係合部材２４の傾斜面２４ａによってドア部材５（６）の下方を突き合わせ方向に移動させる。そして、案内部材３０と係合部材２４の傾斜面２４ｂによってドア部材５（６）の下方を開口部４（枠体３）に向けて移動させる。本実施形態では、ドア部材５（６）の下方に取り付けた当接片１５を開口部４に沿って配置されるシール部材２３に押付けるようにしたが、図１０に示すように、ドア部材５（６）の下方の当接片１５Ａにシール部材２３Ａを取付け、シール部材２３Ａを開口部４（枠体３）に押付けるようにしてもよい。更に、傾斜部２９の位置を案内溝３１に沿って移動させることで突き合わせ方向への押付力Ｐを調整することが可能となる。
【００１２】
本発明の防水機構１７の動作について説明する。集中豪雨等により出入口２の前の水位が上昇したと判断されると、左右のドア部材５、６によって開口部４を閉鎖させた状態において、装置本体１９ａに対して上下方向に移動する軸部材１９ｂを備えた施錠装置１９によってロッド部材２０の先端をドア部材５、６の下方に向けて移動させる。ロッド部材２０の係合部材２４を枠体３の下枠８に設けた押付部２１内に挿入させ、係合部材２４を傾斜部２９、案内部材３０に係合させる。そして、各ドア部材５、６の下方を突き合わせ方向に移動させると共に、各ドア部材５、６の下方をシール部材２３を押付けるように移動させる。こうして、左右のドア部材５、６と床面Ｆとの間の隙間が塞がれることになる。尚、本発明の防水機構１７を、左右のドア部材５、６で開口部４を開口、閉鎖する引き分け式自動ドア装置１に備えたが、１枚のドア部材で開口部を開口、閉鎖する片引き式自動ドア装置に備えてもよい。更に、上枠７にシール部材２３を設け、上記の防水機構１７を用いてドア部材５、６の上方をシール部材２３を押付けるように移動させることで、自動ドア装置１の気密性を向上させることができる。また、施錠装置１９はＩＣカード等からのデータを受信することで軸部材１９ｂを装置本体１９ａに対して上下方向に移動させるように構成されたものであってもよい。
【００１３】
従って、防水機構１７は、装置本体１９ａに対して上下方向に移動する軸部材１９ｂを備えた施錠装置１９と、ドア部材５、６の下方に向けて移動するロッド部材２０と、開口部４に設けた押付部２１とから成る作動部２２と、開口部４に沿って配置されるシール部材２３とから構成され、開口部４を閉鎖した状態のドア部材５、６の下方を作動部２２によって突き合わせ方向に移動させると共に、シール部材２３を押付けるように移動させることで、従来のものに比べて開口部４を閉鎖した状態のまま速やかにドア部材５、６と床面Ｆとの間を塞ぐことができる。前記施錠装置１９は、着脱可能なハンドル１８を用いて軸部材１９ｂを装置本体１９ａに対して上下方向に移動させることで、いたずら等により間違ってハンドル１８が回動されることを防止できる。更に、前記押付部２１には傾斜部２９と案内部材３０が備えられ、傾斜部２９に係合したロッド部材２０を介してドア部材５、６の下方を突き合わせ方向に移動させると共に、案内部材３０に係合したロッド部材２０を介してドア部材５、６の下方をシール部材２３を押付けるように移動させることで、簡単な構成でドア部材５、６の下方を移動させることができる。また、前記傾斜部２９の位置を調整可能としたことで、突き合わせ方向への押付力Ｐを調整することが容易にできる。
【符号の説明】
【００１４】
１      自動ドア装置
２      出入口
４      開口部
５      ドア部材
６      ドア部材
１７    防水機構
１８    ハンドル
１９    施錠装置
１９ａ  装置本体
１９ｂ  軸部材
２０    ロッド部材
２１    押付部
２２    作動部
２３    シール部材
２９    傾斜部
３０    案内部材
【図１】
2020076286.tif 000003
【図２】
2020076286.tif 000004
【図３】
2020076286.tif 000005
【図４】
2020076286.tif 000006
【図５】
2020076286.tif 000007
【図６】
2020076286.tif 000008
【図７】
2020076286.tif 000009
【図８】
2020076286.tif 000010
【図９】
2020076286.tif 000011
【図１０】
2020076286.tif 000012